(57)【要約】【課題】  前面パネルの一側に片軸タイプのファンモータを設け、前面パネルの他側に複数の送風ファンを配置させた構成としても、前面パネルの強度を維持することができ、ファンモータの駆動による振動及び騒音の発生を抑制することのできるダクト型空気調和機を提供することを目的とする。【解決手段】  駆動することにより最も振動が発生するファンモータ１３の前面パネル３の内壁面取付箇所に対応して、ファンモータ１３の裏面に吹出ダクト連結具９の右側辺を設けている。また、回転軸１５の端部を軸支する支持具１６の取付箇所に対応して、支持具１６の裏面に、吹出ダクト連結具９の左側辺を設けている。【選択図】図３
2012097929.tif 000002
【特許請求の範囲】
【請求項１】
吹出ダクト連結具を周囲に備えた吹出口を前面パネルの外壁面に設け、吸込ダクト連結具を周囲に備えた吸込口を後面パネルの外壁面に設けた本体内に熱交換器を設けるとともに、前記前面パネルの内壁面の一側にファンモータを設け、同ファンモータに連結された回転軸により駆動される少なくとも一つの送風ファンを設け、前記回転軸の端部を前記前面パネルの内壁面の他側に設けた支持具により軸支してなるダクト型空気調和機において、
前記吹出ダクト連結具が枠体状に形成され、前記ファンモータが設けられた前面パネルの内壁面の位置に対応して前面パネルの外壁面に前記吹出ダクト連結具の一側辺を位置させる一方、前記支持具が設けられた前面パネルの内壁面の位置に対応して前面パネルの外壁面に前記吹出ダクト接続連結具の他側辺を位置させたことを特徴とするダクト型空気調和機。
【請求項２】
前記一側辺及び前記他側辺が、取付面に対し垂直状に立設された垂直フランジと、同垂直フランジの基端部から水平状に折曲され前記取付面に固定される水平フランジとからなり、前記一側辺及び前記他側辺の垂直フランジ間には補強部材が掛け渡されていることを特徴とする請求項１に記載のダクト型空気調和機。
【発明の詳細な説明】
【技術分野】
【０００１】
本発明は、ダクト型空気調和機に関わり、より詳細には、ファンモータ及び送風ファンの取付強度向上に関するものである。
【背景技術】
【０００２】
従来のダクト型空気調和機は、例えば、図４（Ａ）で示すように、本体の後面パネル４２に図示しない吸込口を形成し、前面パネル４１に複数の吹出口４３を開口するとともに、同吹出口４３を囲うように、近傍には吹出ダクトを接続するための枠体状に形成された吹出ダクト連結具４４が設けられている。
【０００３】
本体は、図４（Ｂ）の分解斜視図で示すように、底板４９と右側パネル４６及び左側パネル４７と、前面パネル４１と、吸込ダクト連結具４５を備えた後面パネル４２と天板４８とからなり、右側パネル４６には制御基板５５を収納したコントロールボックス５４が装着されるようになっている。
【０００４】
本体内には、後面パネル４２側に熱交換器５０が設けられ、その下方には同熱交換器５０から滴下する凝縮水を受けるドレンパン５１が設けられている。また、前面パネル４１の内壁面には、中央部にファンモータ５２が装着され、その両側にはファンモータ５２の両側に突設された回転軸に連結された一対の送風ファン５３が設けられている。
【０００５】
後面パネル４２の吸込口から吸込まれた空気は熱交換器５０により冷媒と熱交換され、熱交換された空気はファンモータ５２により駆動される送風ファン５３により前面パネル４１の吹出口４３から送出されるようになっている。
【０００６】
上記したように前面パネル４１の内壁面中央部にファンモータ５２を設け、その両側に一対のファンモータ５２を設けた構成では前面パネル４１に掛かる負荷が均一となって、ファンモータ５２が駆動されても、振動及びこれに起因する騒音の発生はある程度抑制することができる。しかしながら近年では、片軸タイプのファンモータが多用され、前面パネルの一側に片軸タイプのファンモータを設け、前面パネルの他側に複数の送風ファンを配置させた構成となってきており、この場合には、前面パネルに掛かる負荷が不均一となって、振動及びこれに起因する騒音が増大する不具合があり、対策が望まれていた。
【先行技術文献】
【特許文献】
【０００７】
【特許文献１】特開２００４−２０４８１０号（４頁、図１）
【発明の概要】
【発明が解決しようとする課題】
【０００８】
本発明は、上記問題点に鑑み、前面パネルの一側に片軸タイプのファンモータを設け、前面パネルの他側に送風ファンを配置させた構成としても、前面パネルの強度を維持することができ、ファンモータの駆動による振動及び騒音の発生を抑制することのできるダクト型空気調和機を提供することを目的とする。
【課題を解決するための手段】
【０００９】
本発明は、上記課題を解決するため、吹出ダクト連結具を周囲に備えた吹出口を前面パネルの外壁面に設け、吸込ダクト連結具を周囲に備えた吸込口を後面パネルの外壁面に設けた本体内に熱交換器を設けるとともに、前記前面パネルの内壁面の一側にファンモータを設け、同ファンモータに連結された回転軸により駆動される少なくとも一つの送風ファンを設け、前記回転軸の端部を前記前面パネルの内壁面の他側に設けた支持具により軸支してなるダクト型空気調和機において、前記吹出ダクト連結具が枠体状に形成され、前記ファンモータが設けられた前面パネルの内壁面の位置に対応して前面パネルの外壁面に前記吹出ダクト連結具の一側辺を位置させる一方、前記支持具が設けられた前面パネルの内壁面の位置に対応して前面パネルの外壁面に前記吹出ダクト接続連結具の他側辺を位置させた構成となっている。
【００１０】
また、前記一側辺及び前記他側辺が、取付面に対し垂直状に立設された垂直フランジと、同垂直フランジの基端部から水平状に折曲され前記取付面に固定される水平フランジとからなり、前記一側辺及び前記他側辺の垂直フランジ間には補強部材が掛け渡されている構成となっている。
【発明の効果】
【００１１】
請求項１の発明によれば、振動が最も多く発生するファンモータが設けられた前面パネルの内壁面の取付具位置に対応して前面パネルの外壁面に吹出ダクト連結具の一側辺を位置させ、本体強度を補強することにより、本体に対する振動の伝搬も抑制され、振動及び騒音の発生を抑制できるようになっている。同様に、回転軸の端部を支持する支持具が設けられた前面パネルの内壁面の取付具位置に対応して前面パネルの外壁面に吹出ダクト連結具の他側辺を位置させることにより本体の振動及び騒音の発生を抑制できるようになっている。
【００１２】
請求項２の発明によれば、前記一側辺及び前記他側辺の垂直フランジの間には補強部材が掛け渡されていることにより、前記一側辺及び前記他側辺の強度が増加するようになっている。
【図面の簡単な説明】
【００１３】
【図１】本発明によるダクト型空気調和機の外観斜視図及び設置を説明する説明図である。
【図２】本発明によるダクト型空気調和機の上面図及び側面断面図である。
【図３】本発明によるダクト型空気調和機のファンモータ及び送風ファンの取付を説明する説明図である。
【図４】従来のダクト型空気調和機の構成を説明する外観斜視図及び分解斜視図である。
【発明を実施するための形態】
【００１４】
以下、本発明の実施の形態を、添付図面に基づいた実施例として詳細に説明する。
【実施例１】
【００１５】
本発明によるダクト型空気調和機１は、図１（Ａ）の外観斜視図で示すように、左右一対の吹出口１０ａ及び１０ｂを形成した前面パネル３と、図示しない吸込口を形成した後面パネル２と、右側パネル６及び左側パネル７とで上面と下面とが開放された箱体を形成し、同箱体の開放された上面を覆う天板４と、開放された下面を覆い、凝縮水の外部への漏洩を防止するセーフティドレンパン５とから本体を構成している。セーフティドレンパン５は後述するドレンパン２０で収容しきれなかった凝縮水や熱交換器１２を通過した風により飛散した水や、何らかの原因により発生した水を収容し、メンテナンス作業等の際、後述した排水管１１ｂにより収容された水を排出するようになっている。
【００１６】
前面パネル３の外壁面３ａには、吹出口１０ａ及び１０ｂを囲うように枠体状に形成された吹出ダクト連結具９が設けられている。同吹出ダクト連結具９を構成する右側辺は前面パネル３に対し垂直状に立設された右側垂直フランジ９ａ−１と、同右側垂直フランジ９ａ−１の基端部から水平状に折曲され前面パネル３に固定される右側水平フランジ９ａ−２とからなる断面Ｌ字状に形成された鋼板からなり、左側辺は前面パネル３に対し垂直状に立設された左側垂直フランジ９ｂ−１と、同左側垂直フランジ９ｂ−１の基端部から水平状に折曲され前面パネル３に固定される後述する左側水平フランジ９ｂ−２とからなっている。
【００１７】
また、右側垂直フランジ９ａ−１の中央部と、左側垂直フランジ９ｂ−１の中央部との間には、断面Ｌ字状に形成された鋼板からなる横長の補強部材９ｅが掛け渡されており、同補強部材９ｅにより右側垂直フランジ９ａ−１と、左側垂直フランジ９ｂ−１の強度が増加するようになっている。
【００１８】
同様に、同吹出ダクト連結具９の上辺は前面パネル３に対し垂直状に立設された上辺垂直フランジ９ｃ−１と、同上辺垂直フランジ９ｃ−１の基端部から水平状に折曲され、前面パネル３に固定される上辺水平フランジ９ｃ−２とからなり、下辺は前面パネル３に対し垂直状に立設された下辺垂直フランジ９ｄ−１と、同下辺垂直フランジ９ｄ−１の基端部から水平状に折曲され、前面パネル３に固定される下辺水平フランジとからなっている。
【００１９】
後面パネル２の吸込口にも枠体状に形成された吸込ダクト連結具８が設けられている。また、右側パネル６からは、室外に設置される図示しない室外機と接続される一対の接続配管１１ａが導出され、その下方には、後述するドレンパン２０に貯留された凝縮水を接続されたホースあるいは配管を介して外部に排出する排水管１１ｂと、セーフティドレンパン５に貯留された水をメンテナンス作業時等に外部に排出する排水管１１ｃが夫々導出されている。
【００２０】
ダクト型空気調和機１は、図１（Ｂ）に示すように、室内天井面３２と建屋天井面３３との間に設置され、室内天井面３２に吸込グリル３０ａを開口した吸込ダクト３０を後面パネル２の吸込ダクト連結具８に接続し、室内天井面３２に吹出グリル３１ａを開口した吹出ダクト３１を前面パネル３の吹出ダクト連結具９に接続するようになっている。
【００２１】
吹出グリル３１ａから吸込まれた室内の空気は、吸込ダクト３０を介してダクト型空気調和機１に流入し、後述する熱交換器１２を通過することにより冷媒と熱交換され、熱交換された空気は吹出ダクト３を介し吹出グリル３１ａから再び室内に送出されるようになっている。尚、図１（Ｂ）ではダクト型空気調和機１は室内天井面３２の裏面に固定されるようになっているが、複数の取付金具を本体に設けて建屋天井面３３から垂下された吊下ボルトに取付金具を固定して吊下設置してもよい。
【００２２】
次に、ダクト型空気調和機１の内部構成について説明する。図２（Ａ）は天板４を外した状態での上方からの矢視図であり、図２（Ｂ）は側面から見た断面図である。本体内には、吸込ダクト連結具８を備えた後部パネル２側に、並列した多数のフィンと、同フィンに直交するように蛇行状に配設された伝熱管とからなる熱交換器１２が設けられ、その底面には、同熱交換器１２のフィン表面で凝縮した凝縮水を受けるドレンパン２０が設けられている。
【００２３】
本体内の前面パネル３の内壁面３ｂには、複数の送風ファン１４と、同複数の送風ファン１４を駆動するファンモータ１３が設けられている。ファンモータ１３は本体内の右側パネル６側に配置され、同ファンモータ１３の回転軸は連結部材を介して回転軸１５に連結されており、同回転軸１５には複数の送風ファン１４の後述する回転ブレード１４ｂが夫々固定されるようになっている。また、本体内の左側パネル７側に位置する回転軸１５の端部は、支持具１６により回動自在に軸支されるようになっており、また、右側パネル６側には、ファンモータ１３等を制御するコントロールボックス１７が設けられている。
【００２４】
送風ファン１４は、図２（Ｂ）及び図３で示すように、円形状の吸込口１４ｃを両側に備え、突出形成された吹出部１４ｄの先端部に矩形状の吹出口１４ｅを開口したケーシング１４ａと、同ケーシング１４ａ内に収納され、多数のブレードを周上に備え上記した回転軸１５に固定される円筒状の回転ブレード１４ｂとからなっており、吹出部１４ｄは前面パネル３に固定されるようになっている。尚、送風ファン１４は所謂シロッコファンであり、ケーシング１４ａの両側の吸込口から吸入した空気を、回転ブレード１４ｂの回転により吹出部１４ｄの吹出口１４ｅから吹出すようになっている。
【００２５】
送風ファン１４においては、回転軸１５と、同回転軸１５に固定された回転ブレード１４ｂはケーシング１４ａの内壁面との接触箇所がなく、回転軸１５及び回転ブレード１４ｂに発生した振動はケーシング１４ａに伝搬しないようになっている。前面パネル３の内壁面３ｂに固定されるのは、ファンモータ１３と、同ファンモータ１３に連結された回転軸１５の端部を軸支する支持具１６と、回転軸１５及び回転ブレード１４ｂとの接触箇所がないケーシング１４ａであり、ブレード１４ｂを固定した回転軸１５は、これらファンモータ１３と支持具１６とを介して前面パネル３の内壁面に支持されるようになっている。尚、ケーシング１４ａに振動は伝搬しないようになっていることにより、ケーシング１４ａが固定された前面パネルの箇所は補強する必要性はない。
【００２６】
次に、ファンモータ１３と、回転軸１５の端部を軸支する支持具１６の取付について説明する。前面パネル３の外壁面３ａには上記したように、枠体状に形成された吹出ダクト連結具９が固定されるようになっており、図３で示すように、同吹出ダクト連結具９は本体の右側に、上記したように、右側垂直フランジ９ａ−１と右側水平フランジ９ａ−２とからなる断面Ｌ字状に形成された右側辺を設け、左側に、左側垂直フランジ９ｂ−１と、左側水平フランジ９ｂ−２とからなる断面Ｌ字状に形成された左側辺を設けている。また、上記したように、右側垂直フランジ９ａ−１と左側垂直フランジ９ｂ−１との間には、これらの強度を増加させる補強部材９ｅが設けられている。
【００２７】
右側辺の右側水平フランジ９ａ−２と、左側辺の左側水平フランジ９ｂ−２とは、前面パネル３の外周面にスポット溶接あるいはリベット等を用いて取付けられるようになっており、断面Ｌ字状に形成された吹出ダクト連結具９の右側水平フランジ９ａ−２及び左側水平フランジ９ｂ−２がスポット溶接あるいはリベット等により固着された前面パネル３の取付部位は強度が他の平板状の部位に比較して向上するようになっている。
【００２８】
ダクト型空気調和機１においては、駆動することにより最も振動が発生するファンモータ１３が前面パネル３の内壁面３ｂに取付けられており、図３の点線Ｂで示すように、前面パネル３の外壁面３ａにはファンモータ１３が取付けられた位置に対応して、右側垂直フランジ９ａ−１と右側水平フランジ９ａ−２とからなる断面Ｌ字状に形成された右側辺が設けられている。また、
回転軸１５の端部を軸支する支持具１６が前面パネル３の内壁面３ｂに取付けられており、前面パネル３の外壁面３ａには、図３の点線Ａで示すように、支持具１６が取付けられた位置に対応して、左側垂直フランジ９ｂ−１と、左側水平フランジ９ｂ−２とからなる断面Ｌ字状に形成された左側辺が設けられている。
【００２９】
前面パネル３の内壁面３ｂに取付けられたファンモータ１３の位置に対応して、前面パネル３の外壁面に吹出ダクト連結具９の右側辺を位置させ、前面パネル３の強度を補強することにより、ファンモータ１３の振動の伝搬が抑制され騒音の発生を抑制できるようになっている。同様に、前面パネル３の内壁面３ｂに取付けられた支持具１６の位置に対応して、前面パネル３の外壁面に吹出ダクト連結具９の左側辺を位置させ、前面パネル３の強度を補強することにより、支持具１６から発生する振動及び騒音を抑制することができるようになっている。これにより、本体の振動及びこれに起因する騒音も抑制することができるようになっている。
【符号の説明】
【００３０】
１  ダクト型空気調和機
２  後面パネル
３  前面パネル
４  天板
５  セーフティドレンパン
６  右側パネル
７  左側パネル
８  吸込ダクト連結具
９  吹出ダクト連結具
９ａ−１  右側垂直フランジ
９ａ−２  右側水平フランジ
９ｂ−１  左側垂直フランジ
９ｂ−２  左側水平フランジ
９ｃ−１  上辺垂直フランジ
９ｃ−２  上辺水平フランジ
９ｄ−１  下辺垂直フランジ
９ｅ  補強部材
１０ａ、１０ｂ  吹出口
１１ａ  接続配管
１１ｂ、１１ｃ  排水管
１２  熱交換器
１３  ファンモータ
１４  送風ファン
１４ａ  ケーシング
１４ｂ  回転ブレード
１４ｄ  吹出部
１４ｅ  吹出口
１５  回転軸
１６  支持具
１７  コントロールボックス
２０  ドレンパン
３０  吸込ダクト
３０ａ  吸込グリル
３１  吹出ダクト
３１ａ  吹出グリル
３２  室内天井面
３３  建屋天井面
【図１】
2012097929.tif 000003
【図２】
2012097929.tif 000004
【図３】
2012097929.tif 000005
【図４】
2012097929.tif 000006